【手続補正書】
【提出日】平成29年7月28日(2017.7.28)
【手続補正１】
【補正対象書類名】明細書
【補正対象項目名】０００２
【補正方法】変更
【補正の内容】
【０００２】
従来より、磁石の使用による不正な行為を判別する不正行為検知回路を備える遊技機が提案されている（例えば、特許文献１）。この特許文献１に記載される遊技機においては、セル盤の前面側に前面ガラスと裏面ガラスとから構成される二層保護ガラス体が配置されるとともに、前面ガラスと裏面ガラスとの間に磁気センサーが配置されている。この磁気センサーは、透明な導電性フィルムシート等から構成されており、導電性フィルムシートの両端電極が不正行為検知回路と電気的に接続されている。不正行為検知回路は、導電性フィルムシートに近づく磁石による誘導電流の大きさを測定して不正磁気である場合には警報ブザー等を作動するようになっている。
【手続補正２】
【補正対象書類名】明細書
【補正対象項目名】０００３
【補正方法】変更
【補正の内容】
【０００３】
【特許文献１】特開２００２−２８２５０５号公報（段落［００１３］、段落［００１８］、及び図１）
【手続補正３】
【補正対象書類名】明細書
【補正対象項目名】０００４
【補正方法】変更
【補正の内容】
【０００４】
ところで、磁気センサーには、微少な磁気を高精度に検出する素子を利用するものもある。ところが、このような高精度な磁気センサーは、地磁気の影響を敏感に受けるものであるため、例えば、遊技者の健康用マグネットによる磁気を誤って磁石による不正な行為であると検出するおそれがあった。
【手続補正４】
【補正対象書類名】明細書
【補正対象項目名】０００５
【補正方法】変更
【補正の内容】
【０００５】
本発明は、このような事情に鑑みてなされたものであり、その目的とするところは、磁石による不正な行為を正確に検出することができる遊技機を提供することにある。
【手続補正５】
【補正対象書類名】明細書
【補正対象項目名】０００７
【補正方法】変更
【補正の内容】
【０００７】
（解決手段１）
遊技島に設置される外枠に開閉自在に軸支されるとともに遊技盤が装着され得る前面枠と、遊技の進行を制御する遊技制御手段と、を備える遊技機であって、前記遊技盤又は前記前面枠は、異常な磁気の発生を検出する異常磁気検出手段を備え、前記異常磁気検出手段は、電源投入時に外部からの要求信号が入力されたか否かにかかわらず前記異常磁気検出手段の周囲環境における磁気状態を基準に設定する第１の基準設定制御手段と、該第１の基準設定制御手段により前記異常磁気検出手段の周囲環境における磁気状態を基準に設定した後であって前記外部からの要求信号が入力されたことに基づいて当該異常磁気検出手段の周囲環境における磁気状態を基準に再設定する第２の基準設定制御手段と、を少なくとも有し、前記遊技制御手段は、前記異常な磁気の発生を検出したか否かを伝える信号が前記異常磁気検出手段から入力されるとともに、前記前面枠が前記外枠から開放された後に当該前面枠が当該外枠へ閉鎖されたことに基づいて前記要求信号を当該異常磁気検出手段に出力し、異常な磁気の発生を検出する前記異常磁気検出手段の検出範囲は、前記遊技盤の複数の遊技球入賞部を含むことを特徴とする遊技機。
【手続補正６】
【補正対象書類名】明細書
【補正対象項目名】０００９
【補正方法】変更
【補正の内容】
【０００９】
遊技盤又は前面枠は、異常磁気検出手段を備えている。異常磁気検出手段は、異常な磁気の発生を検出することができるものであり、第１の基準設定制御手段、第２の基準設定制御手段を少なくとも有している。第１の基準設定制御手段は、電源投入時に外部からの要求信号が入力されたか否かにかかわらず異常磁気検出手段の周囲環境における磁気状態を基準に設定することができるものである。第２の基準設定制御手段は、第１の基準設定制御手段により異常磁気検出手段の周囲環境における磁気状態を基準に設定した後であって外部からの要求信号が入力されたことに基づいて異常磁気検出手段の周囲環境における磁気状態を基準に再設定することができるものである。
【手続補正７】
【補正対象書類名】明細書
【補正対象項目名】００１０
【補正方法】変更
【補正の内容】
【００１０】
遊技制御手段は、異常な磁気の発生を検出したか否かを伝える信号が異常磁気検出手段から入力されるとともに、前面枠が外枠から開放された後に前面枠が外枠へ閉鎖されたことに基づいて要求信号を異常磁気検出手段に出力することができるようになっている。
【手続補正８】
【補正対象書類名】明細書
【補正対象項目名】００１１
【補正方法】変更
【補正の内容】
【００１１】
異常な磁気の発生を検出する異常磁気検出手段の検出範囲は、遊技盤の複数の遊技球入賞部を含んでいる。
【手続補正９】
【補正対象書類名】明細書
【補正対象項目名】００１２
【補正方法】変更
【補正の内容】
【００１２】
このように、遊技盤又は前面枠に備える異常な磁気の発生を検出することができる異常磁気検出手段は、前面枠が外枠から開放された状態と、前面枠が外枠へ閉鎖された状態と、において地磁気が変化することにより異常な磁気の発生の検出に対して影響を受けることとなる。例えば、遊技機に何らかのトラブルが発生すると、遊技場（ホール）の店員等の係員は、前面枠を外枠から開放して遊技機の電源遮断を行って、そのトラブルを解消した後に遊技機の電源投入を行って再び前面枠を外枠へ閉鎖すると、異常磁気検出手段は、前面枠を外枠から開放した状態における自身の周囲環境における磁気状態を基準に設定することができるとともに、前面枠が外枠から開放された後に前面枠が外枠へ閉鎖されると、遊技の進行を制御する遊技制御手段からの要求信号が異常磁気検出手段に入力されることにより遊技者が遊技を行う状態である前面枠が外枠へ閉鎖された状態における自身の周囲環境における磁気状態を基準に設定することができるようになっている。これにより、遊技者が遊技を行う状態である前面枠が外枠へ閉鎖された状態において、異常磁気検出手段自身の周囲環境における磁気状態を基準とする設定を確実に行うことができるようになっている。したがって、磁石による不正な行為を正確に検出することができる。
【手続補正１０】
【補正対象書類名】明細書
【補正対象項目名】００１３
【補正方法】変更
【補正の内容】
【００１３】
本実施形態では、例えば、図１の外枠２が外枠に相当し、図９の遊技盤４が遊技盤に相当し、図１の本体枠３と扉枠５とから構成される前面枠が前面枠に相当し、図１３の主制御基板４１００が遊技制御手段に相当し、図１のパチンコ遊技機１が遊技機に相当し、図７の磁気検出スイッチ３０２４が異常磁気検出手段に相当し、図２１の磁気検出制御側電源投入時処理の磁気検出制御側起動処理におけるステップＳＭ２０のオフセット調整処理が第１の基準設定制御手段に相当し、図２１の磁気検出制御側電源投入時処理の磁気検出制御側メイン処理におけるステップＳＭ４５のオフセット調整処理が第２の基準設定制御手段に相当し、図２６の主制御基板４１００からのオフセット調整実施要求信号が要求信号に相当し、図２２のオフセット調整処理が「異常磁気検出手段の周囲環境における磁気状態を基準に設定」するという点に相当し、図１９（ａ）の磁気検出スイッチ３０２４のＯＵＴ端子から出力される磁石検出信号が「異常な磁気の発生を検出したか否かを伝える信号」に相当し、図２０（ａ），（ｂ）の磁気検知範囲が異常磁気検出手段の検出範囲に相当し、図９の一般入賞口２１０４，２２０１と上始動口２１０１と下始動口２１０２と大入賞口２１０３が遊技球入賞部に相当する。
【手続補正１１】
【補正対象書類名】明細書
【補正対象項目名】００２１
【補正方法】変更
【補正の内容】
【００２１】
本発明の遊技機においては、磁石による不正な行為を正確に検出することができる。
【手続補正１２】
【補正対象書類名】特許請求の範囲
【補正対象項目名】全文
【補正方法】変更
【補正の内容】
【特許請求の範囲】
【請求項１】
遊技島に設置される外枠に開閉自在に軸支されるとともに遊技盤が装着され得る前面枠と、遊技の進行を制御する遊技制御手段と、を備える遊技機であって、
前記遊技盤又は前記前面枠は、
異常な磁気の発生を検出する異常磁気検出手段
を備え、
前記異常磁気検出手段は、
電源投入時に外部からの要求信号が入力されたか否かにかかわらず前記異常磁気検出手段の周囲環境における磁気状態を基準に設定する第１の基準設定制御手段と、
該第１の基準設定制御手段により前記異常磁気検出手段の周囲環境における磁気状態を基準に設定した後であって前記外部からの要求信号が入力されたことに基づいて当該異常磁気検出手段の周囲環境における磁気状態を基準に再設定する第２の基準設定制御手段と、
を少なくとも有し、
前記遊技制御手段は、前記異常な磁気の発生を検出したか否かを伝える信号が前記異常磁気検出手段から入力されるとともに、前記前面枠が前記外枠から開放された後に当該前面枠が当該外枠へ閉鎖されたことに基づいて前記要求信号を当該異常磁気検出手段に出力し、
異常な磁気の発生を検出する前記異常磁気検出手段の検出範囲は、前記遊技盤の複数の遊技球入賞部を含むことを特徴とする遊技機。